(57)【要約】  【課題】  被搬送物の残留を防ぐことができるチェーンコンベヤを提供する。  【解決手段】  ケーシング２内を循環走行するチェーン３と、チェーン３に取り付けられることによって被搬送物３０，３１をケーシング２の底面４に沿って掻き出すように搬送する複数のアタッチメント５と、アタッチメント５のいくつかに装着され被搬送物の残留物３０，３１を回収するクリーナ６とを備えたチェーンコンベヤ１において、クリーナ６が、被搬送物３０，３１をケーシング幅方向内側に寄せるクリーナ本体と、クリーナ本体をケーシング２の側壁８に向けて付勢する付勢手段１７とを備える。  【選択図】  図１
2005335847.tif 000002
【特許請求の範囲】
【請求項１】
ケーシング内を循環走行するチェーンと、前記チェーンに取り付けられることによって被搬送物を前記ケーシングの底面に沿って掻き出すように搬送する複数のアタッチメントと、前記アタッチメントのいくつかに装着され前記被搬送物の残留物を回収するクリーナとを備えたチェーンコンベヤにおいて、
前記クリーナは、前記被搬送物をケーシング幅方向内側に寄せるクリーナ本体と、
前記クリーナ本体を前記ケーシングの側壁に向けて付勢する付勢手段とを備えることを特徴とするチェーンコンベヤ。
【請求項２】
ケーシング内を循環走行するチェーンと、前記チェーンに取り付けられることによって被搬送物を前記ケーシングの底面に沿って掻き出すように搬送する複数のアタッチメントと、前記アタッチメントのいくつかに装着され前記被搬送物の残留物を回収するクリーナとを備えたチェーンコンベヤにおいて、
前記クリーナは、前記被搬送物をケーシング幅方向外側に寄せるクリーナ本体と、
前記クリーナ本体をセンターレールの側壁に向けて付勢する付勢手段とを備えることを特徴とするチェーンコンベヤ。
【請求項３】
前記付勢手段は、バネであることを特徴とする請求項１又は請求項２に記載のチェーンコンベヤ。
【請求項４】
前記クリーナのチェーン進行方向後方に、前記被搬送物をさらに内側に寄せて捕集・搬送する傾斜クリーナが設けられることを特徴とする請求項１から請求項３のうちいずれか一項に記載のチェーンコンベヤ。
【発明の詳細な説明】
【技術分野】
【０００１】
本発明は、例えば穀物などの粉粒体である被搬送物を搬送するために用いられるチェーンコンベヤに関するものである。
【背景技術】
【０００２】
従来の一般的なチェーンコンベヤを図６から図８に示した。チェーンコンベヤ６０は、ケーシング６１内を循環走行するチェーン６２と、このチェーン６２に取り付けられることによって被搬送物をケーシング６１の底面６４に沿って掻き出すように搬送するアタッチメント６３と、ケーシング６１の長手方向で所定間隔を介するようにしてケーシング６１の底面６４に設けられた開閉可能な複数または単数のゲート６５（あるいは排出口）とを備え、被搬送物６９をアタッチメント６３で搬送しつつ、複数または単数のゲート６５（あるいは排出口）をそれぞれ適宜開閉することにより、各ゲート６５の下方側にそれぞれ配置されたサイロまたはその他の機器に対して被搬送物６９を順次供給していくものである。
ケーシング６１は、搬送方向に向かって左右両側の側板６１ａ、底板６１ｂ、および天板６１ｃを備え、内部は下段に往路、上段に復路が位置している。また、アタッチメント６３には、数ｍごとにアタッチメント６３よりも幅の広いクリーナ６６が設けられており、アタッチメント６３によって搬送しきれなかった被搬送物６９を回収するようになっている。アタッチメント６３は、ケーシング６１の側板６１ａとの間隔が７〜１０ｍｍ程度、クリーナ６６はケーシング６１の側板６１ａとの間隔が約２．５ｍｍ程度となるように設けられている。またクリーナ６６の固定部ではチェーン６２はクリーナ６６によって持ち上げられた状態で支持されている。ケーシング６１は、約３ｍ程度のものを長手方向にボルト留めで必要な長さに連結している。また、チェーン６２は、２枚のチェーンプレート６２ａを備えている。
【特許文献１】特開２００１−２０６５２６号公報
【発明の開示】
【発明が解決しようとする課題】
【０００３】
ところで、上述したチェーンコンベヤ６０では、図８に示すように、アタッチメント６３により搬送しきれなかった被搬送物がケーシング６１の隅に被搬送物６９が貯まってしまう。これをクリーナ６６により搬送するようになっているが、運転するにつれクリーナ６６が側板６１ａに接触することで摩耗し、クリーナ６６と側板６１ａとの隙間が広がってクリーナ６６が残留した被搬送物６９を除去しきれなくなる。
被搬送物６９が残留することは、衛生上の問題、または被搬送物６９の混合の問題を招くことから、新たな被搬送物の搬送開始時においては暫時の間、被搬送物６９の除去・処理作業を行う必要があるという問題がある。
【０００４】
本発明は、上記事情に鑑みて成されたものであり、被搬送物の残留を防ぐことができるチェーンコンベヤを提供することを目的とする。
【課題を解決するための手段】
【０００５】
本発明に係るチェーンコンベヤでは、上記課題を解決するために以下の手段を採用した。
本発明は、ケーシング内を循環走行するチェーンと、チェーンに取り付けられることによって被搬送物をケーシングの底面に沿って掻き出すように搬送する複数のアタッチメントと、アタッチメントのいくつかに装着され被搬送物の残留物を回収するクリーナとを備えたチェーンコンベヤにおいて、クリーナが、被搬送物をケーシング幅方向内側に寄せるクリーナ本体と、クリーナ本体をケーシングの側壁に向けて付勢する付勢手段とを備えるようにした。
この発明によれば、クリーナ本体が運転を続けるにつれて摩耗しても、付勢手段により常にクリーナ本体がケーシングの側壁と接した状態となるので、残留した被搬送物が確実に回収される。
【０００６】
また、ケーシング内を循環走行するチェーンと、チェーンに取り付けられることによって被搬送物をケーシングの底面に沿って掻き出すように搬送する複数のアタッチメントと、アタッチメントのいくつかに装着され被搬送物の残留物を回収するクリーナとを備えたチェーンコンベヤにおいて、クリーナは、被搬送物をケーシング幅方向外側に寄せるクリーナ本体と、クリーナ本体をセンターレールの側壁に向けて付勢する付勢手段とを備えるようにした。
この発明によれば、クリーナ本体が運転を続けるにつれて摩耗しても、付勢手段により常にクリーナ本体がセンターレールの側壁と接した状態となるので、残留した被搬送物が確実に回収される。
【０００７】
例えば、付勢手段としては、バネを用いることができる。
また、クリーナのチェーン進行方向後方に、被搬送物をさらに内側に寄せて捕集・搬送する傾斜クリーナが設けられるものでは、伸縮クリーナにより内側に寄せられた被搬送物が、続いて通過する傾斜クリーナにより確実に捕集・搬送される。
【発明の効果】
【０００８】
本発明によれば以下の効果を得ることができる。
付勢手段により常にクリーナ本体がケーシングの側壁と接した状態であるため、被搬送物が確実に回収され、被搬送物の残留を防ぐことができる。
また、伸縮クリーナの後方に設けられた傾斜クリーナにより、被搬送物が確実に捕集・搬送される。
また、ケーシングの底部にセンターレールが存在する場合では、伸縮クリーナが付勢手段によりセンターレールの側壁と接した状態であるため、被搬送物が確実に回収され、被搬送物の残留を防ぐことができる。
【発明を実施するための最良の形態】
【０００９】
次に、本発明の実施形態について、図面を参照して説明する。
図１は本発明の一実施形態として示したチェーンコンベヤの内部を示した斜視図である。
図１のチェーンコンベヤ１は、ケーシング２内をその長手方向に循環走行するチェーン３と、チェーン３に取り付けられることによって被搬送物３０をケーシング２内部の底面４に沿って掻き出すように搬送するアタッチメント５とを備える。また、いくつかのアタッチメント５に伸縮クリーナ６が設けられており、アタッチメント５によって搬送しきれなかった被搬送物３０を回収するようになっている。
ケーシング２は、搬送路の底面４を形成する底板７と、底板７の幅方向左右両側に設けられた側板８と、不図示の天板とを有する。
またチェーン３の進行方向に対して伸縮クリーナ６の後側には、傾斜クリーナ１０が設けられている。
【００１０】
次に、伸縮クリーナ６の構成について図２及び図３を用いて説明する。
伸縮クリーナ６は、クリーナ本体１５と、クリーナ本体１５を収容する格納ケース１６と、付勢手段としてのバネ１７とを備えている。クリーナ本体１５は格納ケース１６にスライド自在に収納される。スライド方向はケーシング２の幅方向である。格納ケース１６は、ボルト１８およびナット１９によりアタッチメント５に固定される。クリーナ本体１５にはケーシング幅方向に長い長孔１５ａが設けられており、ボルト１８がこの長孔１５ａを貫通した状態で格納ケース１６をアタッチメント５に固定している。このボルト１８およびナット１９はクリーナ本体１５を剛に固定しないため、クリーナ本体１５はボルト１８によりガイドされつつ幅方向のスライドが可能となっている。なお格納ケース１６の固定手段はボルト１８及びナット１９に限定されないのは言うまでもない。
また格納ケース１６には、上部および下部に板体を折曲して形成された溝１６ａが設けられ、クリーナ本体１５の上部及び下部がそれぞれ溝１６ａに嵌っていることでもスライドのガイドとなっている。
【００１１】
次に、クリーナ本体１５の形状を説明すると、クリーナ本体１５は長手方向の外側端部に側板８と接触する接触部１５ｂを備え、また格納ケース１６に収納される支持部１５ｃを備えている。接触部１５ｂの下部には、図のように進行方向前側に、ケース幅方向内側ほど接触部１５ｂの厚さ寸法が小さくなるような傾斜面１５ｄを備えている。すなわち接触部１５ｂの下部は、ケース幅方向内側に向かってテーパ状となっている。
【００１２】
図３に示したように、接触部１５ｂは、ケーシング２の隅にフィットする。すなわちクリーナ本体１５がバネ１７によって外側に付勢された状態で、接触部１５ｂの側面１５ｆが側板８に接触している。また、クリーナ本体１５が底面４上でチェーン３を支持しており、接触部１５ｂの下面１５ｇがチェーン３の自重によってケーシング２の底面４に接触している。
また格納ケース１６の下方は底面４との間に隙間２０があり、この隙間２０を被搬送物が通過することができるようになっている。
クリーナ本体１５の材質は柔軟性があり、摩耗に強い素材とする。例えば超耐摩耗ゴムまたはウレタンゴム等に代表される耐摩耗性樹脂材のような、耐久性に優れたものが好ましい。
【００１３】
格納ケース１６内にはクリーナ本体１５を側板８に付勢する付勢手段として、バネ１７が設けられている。バネ１７は図のように格納ケース１６の内壁面１６ｂとこれに対向するクリーナ本体１５の側面１５ｅとの間に位置し、使用時において弾性力によって常にクリーナ本体１５を側板８に押し付ける。
【００１４】
進行方向に対して伸縮クリーナ６の後側には、傾斜クリーナ１０が設けられている。図１および図４に示したように、傾斜クリーナ１０はボルト２２によりアタッチメント５に固定される。その形状は、図４(a)に示したようにチェーン３に近いほど厚さ寸法が小さくなるように、伸縮クリーナ６側の面が傾斜面１０ａとなっている。また、側面１０ｂが側板８に接しておらず、間に隙間２３が設けられている。また傾斜クリーナ１０は底面４上でチェーン３を支持しており、傾斜クリーナ１０の下面１０ｃは底面４に接触した状態となっている。
【００１５】
このように構成されていることにより、図１のように、搬送時にはまず伸縮クリーナ６がケーシング２内の隅に残留している被搬送物３０を内側に寄せる。次に内側に寄せられた被搬送物３１が傾斜クリーナ１０で捕集されて搬送される。
このとき、クリーナ本体１５の傾斜面１５ｄおよび傾斜クリーナ１０の傾斜面１０ａにより被搬送物３１が案内され、被搬送物３１がよりスムーズに内側に寄せられる。
運転を続けると徐々にクリーナ本体１５の接触部１５ｂが摩耗するが、クリーナ本体１５はバネ１７により付勢されていることで、クリーナ本体１５と側板８との間には隙間が生じない。これにより常に確実に隅に残留する被搬送物を内側に寄せることができる。また接触部１５ｂの下面１５ｇ及び傾斜クリーナ１０の下面１０ｃは、それぞれチェーン３を支持しているから摩耗しても隙間は生じない。
【００１６】
このように本実施形態のチェーンコンベヤ１では、ケーシング２内の被搬送物３０の残留を確実に防ぐことができる。
また構造が簡単であり、従来のチェーンコンベヤ６０に対して容易に適用することができる。
【００１７】
なお、上記の例では伸縮クリーナ６が備える付勢手段としてバネ１７を示したが、他の付勢手段であってもよい。例えば図５に示したようにクリーナ本体１５の側面１５ｅに磁石３５を設け、格納ケース１６の内壁面１６ｂにこの磁石３５と反発する磁石３６を設ける。これによりクリーナ本体１５が側板８に付勢される。
また、上記の各例ではクリーナ本体１５及び傾斜クリーナ１０は底面４上で自重を支持しているが、これに限定されるものではなく、自重を支持する構成でなくてもよい。
また、クリーナ本体１５の傾斜面１５ｄおよび傾斜クリーナ１０の傾斜面１０ａにより被搬送物がスムーズに回収されるが、これらの傾斜面は被搬送物の回収に必ず必要とはしない。
【図面の簡単な説明】
【００１８】
【図１】チェーンコンベヤ１の内部構造を示す斜視図
【図２】伸縮クリーナの取り付け状態を示す斜視図
【図３】伸縮クリーナを示すの正面図
【図４】傾斜クリーナの上面図、正面図
【図５】伸縮クリーナの変形例を示す図
【図６】従来のチェーンコンベヤの概略構成を示す説明図
【図７】従来のチェーンコンベヤの断面図
【図８】従来のチェーンコンベヤの一部を拡大した断面図
【符号の説明】
【００１９】
１    チェーンコンベヤ
２    ケーシング
３    チェーン
４    底面
８    側壁
５    アタッチメント
６    伸縮クリーナ
１０  傾斜クリーナ
１５  クリーナ本体
１７  バネ（付勢手段）
３０，３１  被搬送物
【図１】
2005335847.tif 000003
【図２】
2005335847.tif 000004
【図３】
2005335847.tif 000005
【図４】
2005335847.tif 000006
【図５】
2005335847.tif 000007
【図６】
2005335847.tif 000008
【図７】
2005335847.tif 000009
【図８】
2005335847.tif 000010